(57)【要約】【課題】被写体を多く認識することができるとともに、ユーザーにとって使い勝手を良好にできるようにする。【解決手段】ディジタルスチルカメラ１００が認識している全ての顔を認識し、そのときにメインの顔及び変更候補の顔以外は小さな矢印にて表示するようにして、ＬＣＤ１０８上で見にくい状態になることを防止することができるようにする。さらに、メインの顔の枠と変更候補の顔の枠とを互いに異なる色で表示するようにして、どの被写体に対して最適な制御を行っているかが明確にすることができるようにする。さらに、操作キーでメイン顔を変更するときの候補も表示し、操作しやすくすることができるようにする。【選択図】図１
2011055272.tif 000002
【特許請求の範囲】
【請求項１】
撮像手段と、
前記撮像手段によって生成された画像データから被写体を認識する被写体認識手段と、
前記被写体認識手段によって認識された被写体を明示して前記画像データに基づく画像を表示部に表示する表示手段と、
前記被写体認識手段によって認識された被写体の中から、ユーザーの操作に応じて主要被写体を選択する操作手段とを有し、
前記表示手段は、前記被写体認識手段によって認識された被写体のうち、主要被写体に対して第１の印を表示し、前記操作手段によって前記主要被写体に選択可能な被写体に対して第２の印を表示し、さらにその他の被写体に対して所定の印を表示することを特徴とする撮像装置。
【請求項２】
前記被写体認識手段は、前記認識した被写体の中から、前記操作手段によって主被写体に選択可能な被写体を決定することを特徴とする請求項１に記載の撮像装置。
【請求項３】
前記被写体認識手段は、前記認識した被写体の中から主被写体を決定し、
前記操作手段は、前記被写体認識手段によって決定された主被写体を変更することによって主被写体を選択することを特徴とする請求項１又は２に記載の撮像装置。
【請求項４】
前記表示手段は、前記操作手段の操作に応じて前記第１の印、前記第２の印、及び前記所定の印を前記表示部に表示することを特徴とする請求項１〜３の何れか１項に記載の撮像装置。
【請求項５】
前記第１の印、及び前記第２の印は被写体を囲む枠であり、前記所定の印は被写体を囲む枠ではないことを特徴とする請求項１〜４の何れか１項に記載の撮像装置。
【請求項６】
撮像手段と、ユーザーの操作に応じて主要被写体を選択する操作手段とを有する撮像装置の撮像方法であって、
前記撮像手段によって生成された画像データから被写体を認識する被写体認識工程と、
前記被写体認識工程において認識された被写体を明示して前記画像データに基づく画像を表示部に表示する表示工程とを有し、
前記表示工程においては、前記被写体認識工程において認識された被写体のうち、主要被写体に対して第１の印を表示し、前記操作手段によって前記主要被写体に選択可能な被写体に対して第２の印を表示し、さらにその他の被写体に対して所定の印を表示することを特徴とする撮像方法。
【請求項７】
撮像手段と、ユーザーの操作に応じて主要被写体を選択する操作手段とを有する撮像装置を制御するためのプログラムであって、
前記撮像手段によって生成された画像データから被写体を認識する被写体認識工程と、
前記被写体認識工程において認識された被写体を明示して前記画像データに基づく画像を表示部に表示する表示工程とをコンピュータに実行させ、
前記表示工程においては、前記被写体認識工程において認識された被写体のうち、主要被写体に対して第１の印を表示し、前記操作手段によって前記主要被写体に選択可能な被写体に対して第２の印を表示し、さらにその他の被写体に対して所定の印を表示するようコンピュータに実行させることを特徴とするプログラム。
【請求項８】
請求項７に記載のプログラムを記憶したことを特徴とするコンピュータ読み取り可能な記憶媒体。
【発明の詳細な説明】
【技術分野】
【０００１】
本発明は撮像装置、撮像方法、プログラム及び記憶媒体に関し、特に、被写体の認識結果を表示するために用いて好適な技術に関する。
【背景技術】
【０００２】
一般にディジタルスチルカメラやディジタルムービーカムコーダなどには、撮影する映像又は撮影する映像と同等の映像を表示する表示装置が設けられている。ユーザーはこの表示装置に表示される映像を確認しながら撮影する構図を決定している。
【０００３】
近年、撮影した映像の中に含まれる顔を認識し、顔画像が最適になるようにカメラやカムコーダを制御する手法が広く行われるようになってきている。このような制御を行う場合には、カメラやカムコーダは撮影している映像の中に含まれている顔のうちどの顔を認識し、どの顔に対して最適化を行っているかをユーザーに通知している。これによりユーザーはその情報を確認し、カメラの動作がユーザーの意図と合っているか否かを判断することになる。
【０００４】
どの顔を認識し、どの顔に最適化しているかという情報を伝えるために一般的に行われている例としては、特許文献１に記載の方法のように、映像の検出された顔画像部分を枠で囲んで表示するものである。さらには、例えば特許文献２に記載の方法のように、枠で囲んで表示する場合に、連続した画像で枠が細かく動くことによって起こる不快感を改善する方法も提案されている。
【先行技術文献】
【特許文献】
【０００５】
【特許文献１】特開２００５−２８６９４０号公報
【特許文献２】特開２００８−４０６１号公報
【発明の概要】
【発明が解決しようとする課題】
【０００６】
被写体認識技術の向上によって映像から一度に認識できる被写体の数は増加している。しかしながら、表示用の液晶パネルの画素数、解像度には限界があるため、あまり多くの枠を表示すると、かえって映像がわかりにくくなってしまう。そのため、実際に表示する枠の数を認識する数よりも減らして見易さを確保することが行われている。
【０００７】
この手法では確かに液晶パネルの見易さを確保することが可能であるが、枠の表示限度以上に顔を認識しているときに被写体が移動すると、枠の表示対象となる被写体が時間ごとに変わってしまうことがある。このように枠が時間ごとに変わってしまうと、ユーザーは認識動作が不安定だと思い込んでしまう。このように認識動作が不安定であると勘違いされやすいため、判りやすい表示方法が望まれている。
【０００８】
本発明は前述の問題点に鑑み、被写体を多く認識することができるとともに、ユーザーにとって使い勝手を良好にできるようにすることを目的としている。
【課題を解決するための手段】
【０００９】
本発明の撮像装置は、撮像手段と、前記撮像手段によって生成された画像データから被写体を認識する被写体認識手段と、前記被写体認識手段によって認識された被写体を明示して前記画像データに基づく画像を表示部に表示する表示手段と、前記被写体認識手段によって認識された被写体の中から、ユーザーの操作に応じて主要被写体を選択する操作手段とを有し、前記表示手段は、前記被写体認識手段によって認識された被写体のうち、主要被写体に対して第１の印を表示し、前記操作手段によって前記主要被写体に選択可能な被写体に対して第２の印を表示し、さらにその他の被写体に対して所定の印を表示することを特徴とする。
【発明の効果】
【００１０】
本発明によれば、主被写体、主被写体の変更候補となる被写体、及びその他の認識できている被写体がユーザーにとってわかりやすい撮像装置を提供することができる。
【図面の簡単な説明】
【００１１】
【図１】第１の実施形態のディジタルスチルカメラの構成例を示すブロック図である。
【図２】顔認識の結果を表示する処理手順の一例を示すフローチャートである。
【図３】図２に示した手順によりＬＣＤに表示される画像の例を示す図である。
【図４】第２の実施形態のディジタルカムコーダの構成例を示すブロック図である。
【図５】顔認識の結果を表示する処理手順の一例を示すフローチャートである。
【発明を実施するための形態】
【００１２】
（第１の実施形態）
以下、本発明の第１の実施形態について、図面を参照しながら説明する。
図１は、本実施形態に係る撮像装置の一例として、ディジタルスチルカメラ１００の構成例を示すブロック図である。
図１において、レンズ１０１を通った光は、絞り１０２により光量調整され、適切な光量となってＣＣＤ１０３に入射し、入射した光が光電変換されてアナログの電気信号になる。ここでは被写体の反射光を受けて電荷信号を蓄積する光電変換素子としてＣＣＤ１０３を用いたが、代わりにＣＭＯＳセンサを用いてもよい。アナログフロントエンド（ＡＦＥ）１０４は、ＣＣＤ１０３から出力されるアナログ信号をディジタル信号に変換する。
【００１３】
画像処理回路１０５は、ＡＦＥ１０４で変換されたディジタル信号を制御に必要なデータに加工する。また、画像処理回路１０５はディジタル信号を画像として構成するための画像処理を行い、その画像データを映像処理回路１０６と顔認識回路１１１とに出力する。タイミング生成回路１０９は、ＣＣＤ１０３及びＡＦＥ１０４を所望のタイミングで駆動するためのパルスを生成し、必要なタイミングでＡＦＥ１０４からディジタル信号を得るように制御している。
【００１４】
画像処理回路１０５から出力されるディジタル信号はマイコン１１０にも取り込まれる。マイコン１１０は、レンズ１０１に対しては焦点を合わせるオートフォーカス制御を行い、絞り１０２に対しては絞り径を制御してＣＣＤ１０３に入射する光量を変化させる自動絞り制御を行う。また、タイミング生成回路１０９に対してはＣＣＤ１０３からの出力を適切に保つために電子シャッターのタイミング制御を行う。
【００１５】
映像処理回路１０６は、画像処理回路１０５で画像として構成された画像データを記録や表示に適した形に変更する。すなわち、記録に最適化した画像データを記録処理回路１１２に送るとともに、表示処理回路１０７にＬＣＤ１０８に表示する目的に最適化した画像データを出力する。一方、顔認識回路１１１は被写体認識手段として機能し、入力される画像データから顔の部分を認識して、その顔の位置及び大きさの情報をマイコン１１０と表示処理回路１０７とに送る。なお、本実施形態では、顔認識回路１１１は、複数の顔が検出された場合には、主要被写体としてメイン顔の候補となる顔とそうでない顔との区分けを行い、その情報もマイコン１１０に送る。具体的には、顔認識回路１１１は、画像データから、鼻、口や目などの顔領域の構成要素に相当する形状を抽出し、両目の中間を通過する延長線上に鼻と口が存在する領域を検出する。そして、両目の大きさとそれらの距離から顔の大きさを推定し、鼻の中心に相当する位置を基準として、推定した大きさの矩形の領域で囲んだ領域を顔領域とする。そして、顔認識回路１１１は、それぞれの顔領域に対して、そのサイズが大きいほど、かつ、その位置が画像データの中心部に近いほど値が高くなるように評価値を設定し、最も高い評価値を得た顔領域をメイン顔とする。なお、本実施形態では最大で３５個の顔を検出することができるものとする。
【００１６】
表示処理回路１０７は、映像処理回路１０６から出力された画像データに顔認識回路１１１で認識した顔に対する枠やマイコン１１０が制御上ユーザーに伝えたい内容の情報を重ねた画像データを生成し、表示部であるＬＣＤ１０８に画像として表示する。また、記録処理回路１１２は、映像処理回路１０６から出力された記録に最適化された画像データを記録に適したフォーマットに変換して記録媒体１１３に記録する。
【００１７】
マイコン１１０は、前述したようにレンズ１０１、絞り１０２及びタイミング生成回路１０９を制御するとともに、顔認識回路１１１で認識した顔の大きさ及び位置に基づいて、表示処理回路１０７で顔に重ねる枠のデータも作成する。また、ユーザーによる操作キー１１４やシャッター釦１１５の操作に応じて必要な処理を行う。操作キー１１４には、「＋」キー及び「−」キーが設けられており、ユーザーは、この「＋」キー及び「−」キーを操作することにより、後述するメイン顔を選択することができる。もちろん「＋」キー及び「−」キーの代わりに、十字ボタンやダイヤル部材を設けたり、あるいは、ＬＣＤ１０８にタッチパネルとしての機能を持たせ、ユーザーがＬＣＤ１０８の画面に触れることでメイン顔を選択できるようにしたりしてもよい。
【００１８】
なお、本実施形態の構成で顔認識を行った場合の動作としては、顔認識回路１１１で認識した顔に対して、レンズ１０１及び絞り１０２を制御し、フォーカスが合い、露出が最適になる状態まで制御することとする。
【００１９】
次に、本実施形態において、顔認識回路１１１で顔を認識したときに表示処理回路１０７で枠を重ねてＬＣＤ１０８で表示する枠の表示の仕方、及び操作キー１１４で操作した場合のディジタルスチルカメラ１００の動作について説明する。図２は、本実施形態のディジタルスチルカメラ１００における顔認識の結果を表示する処理手順の一例を示すフローチャートである。
【００２０】
まず、顔認識回路１１１に画像データが入力されると処理を開始し、ステップＳ２０１において、顔認識回路１１１は、入力された画像データから顔を認識し、その情報をマイコン１１０に送る。このとき、前述したように、メイン顔の候補とそうでない顔とを区分けし、候補の顔から１つのメイン顔を仮に決定する。次に、ステップＳ２０２において、マイコン１１０は、ステップＳ２０１で認識された顔の数が前回認識した数と比べて増減しているか否かを判断する。この判断の結果、増減していない場合は、ステップＳ２０３に進む。一方、ステップＳ２０２の判断の結果、増加した場合は、ステップＳ２０３において、新しく増えた顔に顔の番号を割り当てる。この番号は、メインの顔を選ぶときに用いられる順番の元になる。
【００２１】
さらに、ステップＳ２０２の判断の結果、減少した場合は、ステップＳ２０４において、減ったと思われる顔の番号に無効フラグを立てる。この無効フラグはメインの顔を選ぶときに用いられる。
【００２２】
ステップＳ２０２の判断の結果、増減していないと判断された場合、あるいは、ステップＳ２０３及びＳ２０４の処理を終えるとステップＳ２０５に進む。ステップＳ２０５において、マイコン１１０は、ユーザーによるキー操作の有無のスキャンを開始する。なお、初めてこの処理を行う場合は、後述する赤色の枠、緑色の枠、及び小さい矢印がまだ表示されていないが、ユーザーが「＋」キーもしくは「−」キーを操作できるように、主被写体に対する赤色の枠のみを表示させておけばよい。そして、ステップＳ２０６において、操作キー１１４の「＋」キーが操作されていたかどうかを判断する。この判断の結果、「＋」キーが操作されている場合は、ステップＳ２０７において、マイコン１１０は、メイン顔の顔番号を＋１だけシフトさせ、表示処理回路１０７によりメイン顔を切り替える。この時、＋１した番号が後述する矢印で表示すべき顔番号、もしくは無効フラグが立っていた場合は、さらに＋１して候補顔の顔番号に到達するまでシフトさせる。
【００２３】
一方、ステップＳ２０６の判断の結果、「＋」キーが操作されていない場合は、ステップＳ２０８において、操作キー１１４の「−」キーが操作されていたかどうかを判断する。この判断の結果、「−」キーが操作されている場合は、ステップＳ２０９において、マイコン１１０は、メイン顔の顔番号を−１だけシフトさせ、表示処理回路１０７によりメイン顔を切り替える。この時、−１した番号が後述する矢印で表示すべき顔番号、もしくは無効フラグが立っていた場合は、さらに−１して候補顔の顔番号に到達するまでシフトさせる。
【００２４】
一方、ステップＳ２０８の判断の結果、「−」キーが操作されていない場合は、ステップＳ２１０に進む。そして、マイコン１１０は、メイン顔に赤色の枠、候補顔に緑色の枠、その他の顔に小さい矢印を重ねて表示するように表示処理回路１０７を制御し、ＬＣＤ１０８に表示する。緑色の枠が表示される候補顔とは、「＋」キー及び「−」キーの操作によって次にメイン顔として選択される顔のことである。すなわち、顔番号がメイン顔の顔番号の次に大きい顔と、メイン顔の次に小さい顔が該当する。そして、ステップＳ２１１において、マイコン１１０は、キースキャンによりシャッター釦１１５が半押しされたかどうかを判断する。この判断の結果、半押しされていない場合はステップＳ２１２に進み、半押しされた場合はステップＳ２１３に進む。
【００２５】
次に、ステップＳ２１２において、マイコン１１０は、認識した顔とは無関係に一般的な自動露出制御とオートフォーカス制御とを行う。その後、ステップＳ２０１に戻って顔認識を行う。
【００２６】
一方、ステップＳ２１３においては、マイコン１１０は、メイン顔に対して最適となるように自動露出制御とオートフォーカス制御とを行う。そして、ステップＳ２１４において、さらにキースキャンによりシャッター釦１１５が全押しされたかどうかを判断する。この判断の結果、全押しされていない場合はステップＳ２０１に戻って顔認識を行う。一方、ステップＳ２１４の判断の結果、全押しされた場合には、記録処理回路１１２により記録動作を行い、処理を終了する。
【００２７】
図３は、図２に示した手順によりＬＣＤ１０８に表示される画像の例を示す図である。
図３に示すように、メインの顔として設定している顔に第１の印としてメイン顔枠３０１が重ねられ、主被写体であることが明示される。第２の印である第１の候補顔枠３０２及び第２の候補顔枠３０３は、メイン顔の変更候補として表示されているものであり、ユーザーからキー操作によりメイン顔に選択可能である。一方、他の顔については矢印３０４が重ねて表示されており、顔を認識していることを示しているが、メイン顔や候補顔が見難くなることが無いように工夫している。
【００２８】
以上のように本実施形態によれば、ディジタルスチルカメラ１００が認識している全ての顔を認識し、そのときにメインの顔及び変更候補の顔は枠で表示するようにし、それ以外の顔は所定の小さな矢印にて表示するようにした。これにより、ＬＣＤ上で見にくい状態になることを防止することができる。さらに、メインの顔の枠と変更候補の顔の枠とを互いに異なる色で表示するようにしたので、どの被写体に対して最適な制御を行っているかが明確にすることができる。さらに、操作キーでメイン顔を変更するときの候補も表示することができ、操作しやすくすることができる。
【００２９】
なお、メイン顔は赤色の枠、候補顔は緑色の枠、その他の顔は矢印にて表示する例をあげて説明したが、これに限られるわけではない。これらの区別が付くのであれば、これら検出した顔を指し示すための表示は、色や形だけでなく、その表示濃度や更新周期などで区別できるようにしても構わない。また、被写体が検出できていることを示す印を表示するのであれば、赤色の枠や緑色の枠以外であっても、別の形状からなる印を表示するようにしても構わない。ただし、その他の顔に対する表示は、メイン顔や候補顔に比較して簡易な表示形態、あるいは、目立ちにくい表示形態としなければ、視認性を高める効果が低減してしまうことに注意が必要である。
【００３０】
（第２の実施形態）
以下、本発明の第２の実施形態について図面を参照しながら説明する。
図４は、本実施形態に係る撮像装置の一例として、ディジタルカムコーダ４００の構成例を示すブロック図である。
図４において、レンズ４０１を通った光は、絞り４０２により光量調整され、適切な光量となってＣＣＤ４０３に入射し、入射した光が光電変換されてアナログの電気信号になる。ＡＦＥ４０４は、ＣＣＤ４０３から出力されるアナログ信号をディジタル信号に変換する。
【００３１】
画像処理回路４０５は、ＡＦＥ４０４で変換されたディジタル信号に対して制御に必要なデータに加工する。また、画像処理回路４０５はディジタル信号を画像として構成するための画像処理を行い、その画像データを映像処理回路４０６と顔認識回路４１１とに出力する。タイミング生成回路４０９は、ＣＣＤ４０３及びＡＦＥ４０４を所望のタイミングで駆動するためのパルスを生成し、必要なタイミングでＡＦＥ４０４からディジタル信号を得るように制御している。
【００３２】
画像処理回路４０５から出力されるディジタル信号はマイコン４１０にも取り込まれる。マイコン４１０は、レンズ４０１に対して焦点を合わせるオートフォーカス制御を行い、絞り４０２に対しては絞り径を制御してＣＣＤ４０３に入射する光量を変化させる自動絞り制御を行う。また、タイミング生成回路４０９に対してはＣＣＤからの出力を適切に保つために電子シャッターのタイミング制御を行う。
【００３３】
映像処理回路４０６は、画像処理回路４０５で画像として構成された画像データを記録や表示に適した形に変更する。すなわち、記録に最適化した画像データを記録処理回路４１２に送るとともに、表示処理回路４０７にＬＣＤ４０８に表示する目的に最適化した画像データを出力する。一方、顔認識回路４１１は被写体認識手段として機能し、入力される画像データから顔の部分を認識して、その顔の位置及び大きさの情報をマイコン４１０と表示処理回路４０７とに送る。なお、本実施形態では、顔認識回路４１１は、複数の顔が検出された場合には、主要被写体としてメイン顔の候補となる顔とそうでない顔との区分けを行い、その情報もマイコン４１０に送る。
【００３４】
表示処理回路４０７は、映像処理回路４０６から出力された画像データに顔認識回路４１１で認識した顔に対する枠やマイコン４１０が制御上ユーザーに伝えたい内容の情報を重ねた画像データを生成し、表示部であるＬＣＤ４０８に画像として表示する。また、記録処理回路４１２は、映像処理回路４０６から出力された記録に最適化された画像データを記録に適したフォーマットに変換して記録媒体４１３に記録する。
【００３５】
マイコン４１０は、前述したようにレンズ４０１、絞り４０２及びタイミング生成回路４０９を制御するとともに、顔認識回路４１１で認識した顔の大きさ及び位置に基づいて、表示処理回路４０７で顔に重ねる枠のデータも作成する。また、ユーザーによる操作キー４１４やスタート・ストップ釦４１５の操作に応じて必要な処理を行う。操作キー４１４には、「＋」キー及び「−」キーが設けられており、ユーザーは、この「＋」キー及び「−」キーを操作することにより、後述するメイン顔を選択することができる。
【００３６】
なお、本実施形態の構成で顔認識を行った場合の動作としては、顔認識回路４１１で認識できた顔に対して、レンズ４０１及び絞り４０２を制御し、フォーカスが合い、露出が最適になる状態まで制御することとする。
【００３７】
次に、本実施形態において、顔認識回路４１１で顔を認識したときに表示処理回路４０７で枠を重ねてＬＣＤ４０８で表示する枠の表示の仕方、及び操作キー４１４で操作した場合のディジタルカムコーダ４００の動作について説明する。図５は、本実施形態のディジタルカムコーダ４００における顔認識の結果を示す処理手順の一例を示すフローチャートである。
【００３８】
まず、顔認識回路４１１に画像データが入力されると処理を開始し、ステップＳ５０１において、顔認識回路４１１は、現在の設定に基づき、入力された画像データから顔認識及び顔追尾を行い、その情報をマイコン４１０に送る。このとき、前述したように、メイン顔の候補とそうでない顔とを区分けし、候補の顔から１つのメイン顔を決定する。次に、ステップＳ５０２において、マイコン４１０は、ステップＳ５０１で認識した被写体の大きさ及び位置の情報に基づいて、メインの顔に赤色の枠を表示するよう表示処理回路４０７を制御する。
【００３９】
次に、ステップＳ５０３において、マイコン４１０は、ユーザーからのキー操作の有無を検知ためにキースキャンを行う。そして、ステップＳ５０４において、ユーザーにより操作キー４１４が操作されたか否かを判断する。この判断の結果、操作が無かった場合はステップＳ５０５において、マイコン４１０は、メイン顔に対して最適な露出制御と最適なフォーカス制御とを行い、ステップＳ５０１に戻る。
【００４０】
一方、ステップＳ５０４の判断の結果、操作があった場合は、ステップＳ５０６において、マイコン４１０は、メイン顔に赤色の枠、候補顔に緑色の枠、その他の顔に矢印を重ねて表示するように表示処理回路４０７を制御し、ＬＣＤ４０８に表示する。そして、ステップＳ５０７において、メイン顔に対して最適な露出制御と最適なフォーカス制御とを行う。
【００４１】
次に、ステップＳ５０８において、マイコン４１０は、ユーザーからのキー操作の有無を検知するために再度キースキャンを行う。そして、ステップＳ５０９において、ユーザーにより操作キー４１４が操作されたか否かを判断する。この判断の結果、キー操作が無かった場合は、ステップＳ５１０において、マイコン４１０は、最後にキー操作してから経過した時間が３秒未満であるか否かを判断する。この判断の結果、３秒未満である場合はステップＳ５１１において、操作待ち状態として、顔認識回路４１１は、入力された画像データから顔認識及び顔追尾を行い、ステップＳ５０６に戻る。一方、ステップＳ５１０の判断の結果、３秒以上経過している場合は、メイン顔を変更する見込みがないため、ステップＳ５０１に戻る。
【００４２】
一方、ステップＳ５０９の判断の結果、キー操作があった場合は、ステップＳ５１２において、マイコン４１０は、操作キー４１４の「＋」キーが操作されたか否かを判断する。この判断の結果、「＋」キーが操作された場合はステップＳ５１３において、マイコン４１０は、メイン顔の顔番号を＋１だけシフトさせ、表示処理回路４０７によりメインの顔を切り替える。そして、ステップＳ５１６において、顔認識回路４１１は、入力された画像データから顔認識及び顔追尾を行い、ステップＳ５０６に戻る。
【００４３】
一方、ステップＳ５１２の判断の結果、「＋」キーが操作されていない場合はステップＳ５１４において、マイコン４１０は、操作キー４１４の「−」キーが操作されたか否かを判断する。この判断の結果、「−」キーが操作された場合はステップＳ５１５において、マイコン４１０は、メイン顔の顔番号を−１だけシフトさせ、表示処理回路４０７によりメインの顔を切り替える。そして、ステップＳ５１６に進む。
【００４４】
一方、ステップＳ５１４の判断の結果、「−」キーが操作されていない場合はステップＳ５１７において、スタート・ストップ釦４１５が操作されたか否かを判断する。この判断の結果、スタート・ストップ釦４１５が操作されていない場合は、ステップＳ５１６に進む。
【００４５】
一方、ステップＳ５１７の判断の結果、スタート・ストップ釦４１５が操作された場合は、ステップＳ５１８において、マイコン４１０は、現在の状態が記録動作中であるか否かを判断する。この判断の結果、現在の状態が記録動作中である場合は、スタート・ストップ釦４１５の操作は、記録動作の停止指示となる。したがって、ステップＳ５２０に進み、記録処理回路４１２は、記録停止動作を行ってステップＳ５１６に進む。一方、ステップＳ５１８の判断の結果、現在の状態が記録動作中である場合は、スタート・ストップ釦４１５の操作は、記録動作の開始指示となる。したがって、ステップＳ５１９に進み、記録処理回路４１２は記録を開始し、ステップＳ５１６に進む。
【００４６】
以上のように本実施形態によれば、ユーザーが望んでいないときにはメイン顔の枠表示のみ行い、メインの顔を変更しようとしたときにはメイン顔の枠、候補顔の枠、その他の顔の矢印を表示するようにした。これにより、メイン顔の選択を簡単に行うことができるようにするとともに、表示装置のみ安さを確保することが出来る。
【００４７】
（本発明に係る他の実施形態）
また、本発明は、以下の処理を実行することによっても実現される。即ち、上述した実施形態の機能を実現するソフトウェア（プログラム）を、ネットワーク又は各種コンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００４８】
１０３  ＣＣＤ、１０７  表示処理回路、１０８  ＬＣＤ、１１０  マイコン、１１１  顔認識回路１１１、１１４  操作キー
【図１】
2011055272.tif 000003
【図２】
2011055272.tif 000004
【図３】
2011055272.tif 000005
【図４】
2011055272.tif 000006
【図５】
2011055272.tif 000007